(57)【要約】      （修正有）【課題】個々のユーザーの体調などや、改善したい事項、特にアンチエイジング、美容、ダイエット、健康に応じて、最適なサプリメントを提案する方法、システム、プログラム、記憶媒体を提供する。【解決手段】通信手段を介して接続されたユーザー端末と、演算手段と記録手段とを備えたホスト端末を有し、ユーザー端末からの入力情報に応じて、各ユーザーに適したサプリメントを提案するシステムであって、ユーザー端末から、ユーザーに対する質問事項の回答を受信するユーザー質問回答情報入力手段と、ユーザーに対する各質問事項の各回答と、そのユーザーに提案するサプリメントとの対応に関連する情報を蓄積するデータベースと、ユーザー質問回答情報入力手段で得られる情報をデータベースと参照させ、提案するサプリメントを決める提案サプリメント演算手段と、得られる情報をユーザー端末へ送信する提案情報出力手段とを備える。【選択図】図２
2011232989.tif 000002
【特許請求の範囲】
【請求項１】
通信手段を介して接続されたユーザー端末と情報伝達可能な通信手段と、演算手段と記録手段とを少なくとも備えたホスト端末を有し、
ユーザー端末からの入力情報に応じて、ユーザー端末への出力情報として、各ユーザーに適したサプリメントを提案するシステムであって、
ユーザー端末から、ユーザーに対する質問事項の回答を受信するユーザー質問回答情報入力手段と、
ユーザーに対する各質問事項の各回答と、そのユーザーに提案するサプリメントとの対応に関連する情報を、少なくとも蓄積するデータベースと、
ユーザー質問回答情報入力手段で得られる情報をデータベースと参照させ、ユーザーに提案するサプリメントを決める提案サプリメント演算手段と、
提案サプリメント演算手段で得られる情報を、ユーザー端末へ送信する提案情報出力手段と、
を備えることを特徴とするサプリメント提案システム。
【請求項２】
ユーザーに対する質問事項が、
身体的特徴を含む個人情報、体調に関連する体調情報、心理的状況に関連する心理情報、生活習慣に関連する生活習慣情報、希望する改善事項に関連する希望事項情報、とから成る群の少なくとも１つを有する
請求項１に記載のサプリメント提案システム。
【請求項３】
身体的特徴を含む個人情報が、
ユーザーを特定するＩＤ、年齢、性別、身長、体重、体脂肪率、各種アレルギーの有無、
とから成る群の少なくとも１つを有する
請求項２に記載のサプリメント提案システム。
【請求項４】
体調に関連する体調情報が、
目の疲れ・かすみ、肩のこり、筋肉痛、めまい、動悸・息切れ、太りやすさ、シミ・しわ・くすみ、胃の張り・痛み、風邪のひきやすさ、便秘・下痢、関節痛、冷え、疲れやすさ、寝つき、寝起き、とから成る群の少なくとも１つを有する
請求項２に記載のサプリメント提案システム。
【請求項５】
心理的状況に関連する心理情報が、
いらいら・怒りやすさ、もの忘れ、不眠、躁鬱、とから成る群の少なくとも１つを有する
請求項２に記載のサプリメント提案システム。
【請求項６】
生活習慣に関連する生活習慣情報が、
睡眠時間、起床時間、就寝時間、労働時間、過労、ストレス、食事の時間・量・嗜好、偏食、運動、喫煙、飲酒、とから成る群の少なくとも１つを有する
請求項２に記載のサプリメント提案システム。
【請求項７】
希望する改善事項に関連する希望事項情報が、
アンチエイジング、美容、ダイエット、健康、とから成る群の少なくとも１つを有する
請求項２に記載のサプリメント提案システム。
【請求項８】
提案サプリメント演算手段が、
希望事項情報がアンチエイジングの場合には、提案サプリメントとして、マルチビタミン、マルチミネラル、ビタミンＢ、ビタミンＣ、ビタミンＥ、αリポ酸、核酸、Ｌ−カルチニン、ＳＯＤ、ポリフェノール、アスタキサンチン、コエンザイムＱ１０、ブルーベリーエキス、イチョウ葉エキス、βカロチン、亜鉛、とから成る群の少なくとも１つを出力する
請求項７に記載のサプリメント提案システム。
【請求項９】
提案サプリメント演算手段が、
希望事項情報が美容の場合には、提案サプリメントとして、マルチビタミン、マルチミネラル、ビタミンＡ、ビタミンＢ１、ビタミンＢ２、ビタミンＢ６、ビタミンＢ１２、ビタミンＣ、ビタミンＥ、ビタミンＰ、ナイアシン、ビオチン、コラーゲン、エラスチン、ポリフェノール、パントテン酸、ヒアルロン酸、アセチルグルコサミン、イノシトール、コエンザイムＱ１０、αカロチン、βカロチン、大豆サポニン、ロイヤルゼリー、ツイントース、葉酸、バラ花弁エキス、ザクロ種子エキス、ブラックコホッシュエキス、大豆イソフラボン、葛イソフラボンスクワレン、ビール酵母、コロハエキス、カルシウム、マグネシウム、銅、鉄、亜鉛、マンガン、とから成る群の少なくとも１つを出力する
請求項７に記載のサプリメント提案システム。
【請求項１０】
提案サプリメント演算手段が、
希望事項情報がダイエットの場合には、提案サプリメントとして、マルチビタミン、マルチミネラル、ビタミンＡ、ビタミンＢ１、ビタミンＢ２、ビタミンＢ６、ビタミンＣ、ビタミンＥ、コエンザイムＱ１０、食物繊維、海藻、トウガラシ、カプサイシン、ギムネマ、ペプチド、レシチン、アルギニン、リジン、キトサン、αリポ酸、共役リノール酸、Ｌ−カルチニン、Ｌ−オルチニン、Ｌ−オルチニン酸塩、シトラスアランチウム、キトグルカン、ガルシニアエキス、クロープエキス、桑葉エキス、インゲン豆エキス、メリロートエキス、大麦エキス、杜仲エキス、コレウスフォルスコリエキス、カルシウム、マグネシウム、カリウム、鉄、とから成る群の少なくとも１つを出力する
請求項７に記載のサプリメント提案システム。
【請求項１１】
提案サプリメント演算手段が、
希望事項情報が健康の場合には、提案サプリメントとして、マルチビタミン、マルチミネラル、ビタミンＢ、ビタミンＣ、ビタミンＥ、コエンザイムＱ１０、βカロチン、食物繊維、海藻、プロテイン、レシチン、ＥＰＡ、ＤＨＡ、αリポ酸、クエン酸、核酸、Ｌ−カルチニン、ＳＯＤ、ポリフェノール、コラーゲン、グルコサミン、コンドロイチン、エネキシア、乳酸菌、ガーリック、イチョウ葉エキス、カモミール、亜鉛、とから成る群の少なくとも１つを出力する
請求項７に記載のサプリメント提案システム。
【請求項１２】
通信手段を介して接続されたユーザー端末と情報伝達可能な通信手段と、演算手段と記録手段とを少なくとも備えたホスト端末を有したシステムにおいて、
ユーザー端末からの入力情報に応じて、ユーザー端末への出力情報として、各ユーザーに適したサプリメントを提案する方法であって、
データベースに、ユーザーに対する各質問事項の各回答と、そのユーザーに提案するサプリメントとの対応に関連する情報を、少なくとも蓄積し、
ユーザー質問回答情報入力手段によって、ユーザー端末から、ユーザーに対する質問事項の回答を受信するユーザー質問回答情報入力ステップと、
提案サプリメント演算手段によって、ユーザー質問回答情報入力手段で得られる情報をデータベースと参照させ、ユーザーに提案するサプリメントを決める提案サプリメント演算ステップと、
提案情報出力手段によって、提案サプリメント演算手段で得られる情報を、ユーザー端末へ送信する提案情報出力ステップと、
を有することを特徴とするサプリメント提案方法。
【請求項１３】
通信手段を介して接続されたユーザー端末と情報伝達可能な通信手段と、演算手段と記録手段とを少なくとも備えたホスト端末を有したシステムにおいて、
ユーザー端末からの入力情報に応じて、ユーザー端末への出力情報として、各ユーザーに適したサプリメントを提案するプログラムであって、
請求項１なしし１１のいずれかに記載のサプリメント提案システムを機能させるか、または、請求項１２に記載のサプリメント提案方法を実行する
ことを特徴とするサプリメント提案プログラム。
【請求項１４】
通信手段を介して接続されたユーザー端末と情報伝達可能な通信手段と、演算手段と記録手段とを少なくとも備えたホスト端末を有したシステムにおいて用いられ、
ユーザー端末からの入力情報に応じて、ユーザー端末への出力情報として、各ユーザーに適したサプリメントを提案するプログラムを格納する媒体であって、
請求項１３に記載のプログラムを格納した
ことを特徴とするサプリメント提案プログラム記憶媒体。
【発明の詳細な説明】
【技術分野】
【０００１】
本発明は、ユーザーからの入力情報に応じて、ユーザーに適したサプリメントを提案する方法、並びに、その方法を実施するシステム、プログラム、記憶媒体に関する。
【背景技術】
【０００２】
従来の医薬部外品や、化粧品、健康食品、サプリメントは、既存の市販品をユーザーが選択して購入していた。しかし、各ユーザー毎の体質等や改善したい事項や、更にその時々の健康状態などに応じて、有効なものを選択するべきである。
【０００３】
サプリメントの提案に関連する従来技術には、特許文献１〜６などがあるが、ユーザー個々の要望に合致したものではなかった。
【先行技術文献】
【特許文献】
【０００４】
【特許文献１】特開２００４−１３１８２  「サプリメント購入支援システム及びサプリメント購入支援方法」
【特許文献２】特開２００５−２５０５３７  「商品選択システム」
【特許文献３】特開２００５−２７６１４８  「サプリメント問診システムの提供及びサプリメント供給装置」
【特許文献４】特開２００６−３５０４５７  「サプリメント販売支援システム及びサプリメント販売支援方法」
【特許文献５】特開２００７−５８６９３  「オーダーメイドサプリメントシステム」
【特許文献６】特開２００８−１７６３８２  「オーダーメード商品提供システム」
【非特許文献】
【０００５】
【非特許文献１】Natural Medicines ComprehensiveDatabase,2009 Edition（Therapeutic Research Facility/USA  ISBN: 978-0-978-8205-58)
【発明の概要】
【発明が解決しようとする課題】
【０００６】
そこで、本発明は、個々のユーザーの体調などや、改善したい事項、特にアンチエイジング、美容、ダイエット、健康に応じて、最適なサプリメントを提案する方法、並びに、そのシステム、プログラム、記憶媒体を提供することを課題とする。
【課題を解決するための手段】
【０００７】
上記課題を達成するため、本発明のサプリメント提案システムは、通信手段を介して接続されたユーザー端末と情報伝達可能な通信手段と、演算手段と記録手段とを少なくとも備えたホスト端末を有し、ユーザー端末からの入力情報に応じて、ユーザー端末への出力情報として、各ユーザーに適したサプリメントを提案するシステムであって、ユーザー端末から、ユーザーに対する質問事項の回答を受信するユーザー質問回答情報入力手段と、ユーザーに対する各質問事項の各回答と、そのユーザーに提案するサプリメントとの対応に関連する情報を、少なくとも蓄積するデータベースと、ユーザー質問回答情報入力手段で得られる情報をデータベースと参照させ、ユーザーに提案するサプリメントを決める提案サプリメント演算手段と、提案サプリメント演算手段で得られる情報を、ユーザー端末へ送信する提案情報出力手段とを備えることを特徴とする。
【０００８】
ここで、ユーザーに対する質問事項を、身体的特徴を含む個人情報、体調に関連する体調情報、心理的状況に関連する心理情報、生活習慣に関連する生活習慣情報、希望する改善事項に関連する希望事項情報、とから成る群の少なくとも１つを有するものとしてもよい。
【０００９】
また、身体的特徴を含む個人情報を、ユーザーを特定するＩＤ、年齢、性別、身長、体重、体脂肪率、各種アレルギーの有無、とから成る群の少なくとも１つを有するものとしてもよい。
【００１０】
体調に関連する体調情報を、目の疲れ・かすみ、肩のこり、筋肉痛、めまい、動悸・息切れ、太りやすさ、シミ・しわ・くすみ、胃の張り・痛み、風邪のひきやすさ、便秘・下痢、関節痛、冷え、疲れやすさ、寝つき、寝起きとから成る群の少なくとも１つを有するものとしてもよい。
【００１１】
心理的状況に関連する心理情報を、いらいら・怒りやすさ、もの忘れ、不眠、躁鬱、とから成る群の少なくとも１つを有するものとしてもよい。
【００１２】
生活習慣に関連する生活習慣情報を、睡眠時間、起床時間、就寝時間、労働時間、過労、ストレス、食事の時間・量・嗜好、偏食、運動、喫煙、飲酒、とから成る群の少なくとも１つを有するものとしてもよい。
【００１３】
希望する改善事項に関連する希望事項情報を、アンチエイジング、美容、ダイエット、健康、とから成る群の少なくとも１つを有するものとしてもよい。
【００１４】
提案サプリメント演算手段としては、希望事項情報がアンチエイジングの場合には、提案サプリメントとして、マルチビタミン、マルチミネラル、ビタミンＢ、ビタミンＣ、ビタミンＥ、αリポ酸、核酸、Ｌ−カルチニン、ＳＯＤ、ポリフェノール、アスタキサンチン、コエンザイムＱ１０、ブルーベリーエキス、イチョウ葉エキス、βカロチン、亜鉛、とから成る群の少なくとも１つを出力してもよい。
【００１５】
提案サプリメント演算手段としては、希望事項情報が美容の場合には、提案サプリメントとして、マルチビタミン、マルチミネラル、ビタミンＡ、ビタミンＢ１、ビタミンＢ２、ビタミンＢ６、ビタミンＢ１２、ビタミンＣ、ビタミンＥ、ビタミンＰ、ナイアシン、ビオチン、コラーゲン、エラスチン、ポリフェノール、パントテン酸、ヒアルロン酸、アセチルグルコサミン、イノシトール、コエンザイムＱ１０、αカロチン、βカロチン、大豆サポニン、ロイヤルゼリー、ツイントース、葉酸、バラ花弁エキス、ザクロ種子エキス、ブラックコホッシュエキス、大豆イソフラボン、葛イソフラボンスクワレン、ビール酵母、コロハエキス、カルシウム、マグネシウム、銅、鉄、亜鉛、マンガン、とから成る群の少なくとも１つを出力してもよい。
【００１６】
提案サプリメント演算手段として、希望事項情報がダイエットの場合には、提案サプリメントとして、マルチビタミン、マルチミネラル、ビタミンＡ、ビタミンＢ１、ビタミンＢ２、ビタミンＢ６、ビタミンＣ、ビタミンＥ、コエンザイムＱ１０、食物繊維、海藻、トウガラシ、カプサイシン、ギムネマ、ペプチド、レシチン、アルギニン、リジン、キトサン、αリポ酸、共役リノール酸、Ｌ−カルチニン、Ｌ−オルチニン、Ｌ−オルチニン酸塩、シトラスアランチウム、キトグルカン、ガルシニアエキス、クロープエキス、桑葉エキス、インゲン豆エキス、メリロートエキス、大麦エキス、杜仲エキス、コレウスフォルスコリエキス、カルシウム、マグネシウム、カリウム、鉄、とから成る群の少なくとも１つを出力してもよい。
【００１７】
提案サプリメント演算手段として、希望事項情報が健康の場合には、提案サプリメントとして、マルチビタミン、マルチミネラル、ビタミンＢ、ビタミンＣ、ビタミンＥ、コエンザイムＱ１０、βカロチン、食物繊維、海藻、プロテイン、レシチン、ＥＰＡ、ＤＨＡ、αリポ酸、クエン酸、核酸、Ｌ−カルチニン、ＳＯＤ、ポリフェノール、コラーゲン、グルコサミン、コンドロイチン、エネキシア、乳酸菌、ガーリック、イチョウ葉エキス、カモミール、亜鉛、とから成る群の少なくとも１つを出力してもよい。
【００１８】
本発明のサプリメント提案方法は、通信手段を介して接続されたユーザー端末と情報伝達可能な通信手段と、演算手段と記録手段とを少なくとも備えたホスト端末を有したシステムにおいて、ユーザー端末からの入力情報に応じて、ユーザー端末への出力情報として、各ユーザーに適したサプリメントを提案する方法であって、データベースに、ユーザーに対する各質問事項の各回答と、そのユーザーに提案するサプリメントとの対応に関連する情報を、少なくとも蓄積し、ユーザー質問回答情報入力手段によって、ユーザー端末から、ユーザーに対する質問事項の回答を受信するユーザー質問回答情報入力ステップと、提案サプリメント演算手段によって、ユーザー質問回答情報入力手段で得られる情報をデータベースと参照させ、ユーザーに提案するサプリメントを決める提案サプリメント演算ステップと、提案情報出力手段によって、提案サプリメント演算手段で得られる情報を、ユーザー端末へ送信する提案情報出力ステップとを有することを特徴とする。
【００１９】
本発明のサプリメント提案プログラムは、通信手段を介して接続されたユーザー端末と情報伝達可能な通信手段と、演算手段と記録手段とを少なくとも備えたホスト端末を有したシステムにおいて、ユーザー端末からの入力情報に応じて、ユーザー端末への出力情報として、各ユーザーに適したサプリメントを提案するプログラムであって、上記のサプリメント提案システムを機能させるか、または、上記のサプリメント提案方法を実行することを特徴とする。
【００２０】
本発明のサプリメント提案プログラム記憶媒体は、通信手段を介して接続されたユーザー端末と情報伝達可能な通信手段と、演算手段と記録手段とを少なくとも備えたホスト端末を有したシステムにおいて用いられ、ユーザー端末からの入力情報に応じて、ユーザー端末への出力情報として、各ユーザーに適したサプリメントを提案するプログラムを格納する媒体であることを特徴とする。
【発明の効果】
【００２１】
本発明によると、各ユーザーに対する質問事項の回答として、身体的特徴を含む個人情報、体調に関連する体調情報、心理的状況に関連する心理情報、生活習慣に関連する生活習慣情報、希望する改善事項に関連する希望事項情報を基に、ユーザー毎に最適なサプリメントを提案することが可能である。
【図面の簡単な説明】
【００２２】
【図１】サプリメント提案システムの概要を示す説明図
【図２】サプリメント提案方法を実施する概要を示すフローチャート
【発明を実施するための最良の形態】
【００２３】
以下に、本発明の実施形態を図面に基づいて説明する。実施形態は、前記特許文献など従来公知の技術を援用して適宜設計変更可能であり、また、サプリメントについては非特許文献１など従来公知の技術を適宜援用可能である。
【００２４】
図１は、本発明によるサプリメント提案システムの概要を示す説明図であり、図２は、サプリメント提案方法を実施する概要を示すフローチャートである。
ホスト端末には、ユーザー端末と情報伝達可能な通信手段と、演算手段と記録手段とが少なくとも備わる。一般的には、演算処理を司るＣＰＵや、それと協働するＲＯＭ・ＲＡＭ等のメモリー、ハードディスク等の記憶装置、画面表示するモニター、ユーザーの入力をＣＰＵに伝達する入力デバイス、インターネット等のネットワークと接続して通信するためのネットワークアダプタなどが備わり、これらは、従来公知のＰＣで構成することもできる。
ユーザー端末には、情報伝達可能な通信手段と、キーボード及びモニター等の情報入出力手段とが少なくとも備わる。一般的には、従来公知のＰＣや携帯通信端末などで構成することができる。
なお、ユーザーとしては、サプリメントを摂取する消費者本人であってもよいし、販売業者などの仲介者であってもよい。
【００２５】
データベースには、ユーザーに対する各質問事項の各回答と、そのユーザーに提案するサプリメントとの対応に関連する情報が少なくとも蓄積される。その他に、各ユーザーの顧客情報や各サプリメントの売り上げ情報など従来公知の営業用情報なども蓄積させておいてもよい。
また、図示の例では、データベースをホスト端末とは別体にしているが、ホスト端末内部の記録手段にデータベースの機能を設けてもよい。
【００２６】
ホスト端末は、以下のようにして、ユーザー端末からの入力情報に応じて、ユーザー端末への出力情報として、各ユーザーに適したサプリメントを提案する。
まず、ユーザー質問回答情報入力手段によって、ユーザー端末から、ユーザーに対する質問事項の回答を受信する（ユーザー質問回答情報入力ステップ）。
次いで、提案サプリメント演算手段によって、ユーザー質問回答情報入力手段で得られる情報をデータベースと参照させ、ユーザーに提案するサプリメントを決める（提案サプリメント演算ステップ）。
提案情報出力手段によって、提案サプリメント演算手段で得られる情報を、ユーザー端末へ送信する（提案情報出力ステップ）。
【００２７】
ユーザーに対する質問事項としては、身体的特徴を含む個人情報、体調に関連する体調情報、心理的状況に関連する心理情報、生活習慣に関連する生活習慣情報、希望する改善事項に関連する希望事項情報、とから成る群の少なくとも１つを有するものが挙げられる。
【００２８】
身体的特徴を含む個人情報には、名前やユーザー番号などのユーザーを特定するＩＤ、生年月日や年代などの年齢情報、性別、身長、体重、体脂肪率、各種アレルギーの有無などを設定可能であり、数値や選択肢の入力を求める。
【００２９】
体調に関連する体調情報には、目の疲れ・かすみなどの目の調子に関する情報、肩のこり、筋肉痛などの肩や筋肉の調子に関する情報、めまいなどの体感の調子に関する情報、動悸・息切れなどの循環器系の調子に関する情報、太りやすさ、シミ・しわ・くすみなどの肌の調子に関する情報、胃の張り・痛みなどの腹部の調子に関する情報、風邪のひきやすさ、便秘・下痢などの消化器系の調子に関する情報、関節痛、冷え、疲れやすさ、また、寝つき、寝起きなどの睡眠に関する情報を設定可能であり、有無や程度の選択肢の入力を求める。
【００３０】
心理的状況に関連する心理情報には、いらいら・怒りやすさ、もの忘れ、不眠、躁鬱など精神的負担に関する情報などを設定可能であり、有無や程度の選択肢の入力を求める。
【００３１】
生活習慣に関連する生活習慣情報には、睡眠時間、起床時間、就寝時間、労働時間、過労、ストレス、食事の時間・量・嗜好、偏食、運動、喫煙、飲酒などを設定可能であり、数値や有無や程度の選択肢の入力を求める。
【００３２】
希望する改善事項に関連する希望事項情報には、ユーザーが改善したいこととして、アンチエイジング、美容、ダイエット、健康などを設定可能であり、選択肢の入力を求める。
【００３３】
ユーザーが改善事項にアンチエイジングを選択した場合は、提案サプリメントとして、マルチビタミン、マルチミネラル、ビタミンＢ、ビタミンＣ、ビタミンＥ、αリポ酸、核酸、Ｌ−カルチニン、ＳＯＤ、ポリフェノール、アスタキサンチン、コエンザイムＱ１０、ブルーベリーエキス、イチョウ葉エキス、βカロチン、亜鉛を挙げることが好ましい。なお、これらのうち、少なくとも１つを含めばよく、他のユーザー質問回答情報との兼ね合いによって組み合わせを決めてもよい。
【００３４】
ユーザーが改善事項に美容を選択した場合は、提案サプリメントとして、マルチビタミン、マルチミネラル、ビタミンＡ、ビタミンＢ１、ビタミンＢ２、ビタミンＢ６、ビタミンＢ１２、ビタミンＣ、ビタミンＥ、ビタミンＰ、ナイアシン、ビオチン、コラーゲン、エラスチン、ポリフェノール、パントテン酸、ヒアルロン酸、アセチルグルコサミン、イノシトール、コエンザイムＱ１０、αカロチン、βカロチン、大豆サポニン、ロイヤルゼリー、ツイントース、葉酸、バラ花弁エキス、ザクロ種子エキス、ブラックコホッシュエキス、大豆イソフラボン、葛イソフラボンスクワレン、ビール酵母、コロハエキス、カルシウム、マグネシウム、銅、鉄、亜鉛、マンガンを挙げることが好ましい。なお、これらのうち、少なくとも１つを含めばよく、他のユーザー質問回答情報との兼ね合いによって組み合わせを決めてもよい。
【００３５】
ユーザーが改善事項にダイエットを選択した場合は、提案サプリメントとして、マルチビタミン、マルチミネラル、ビタミンＡ、ビタミンＢ１、ビタミンＢ２、ビタミンＢ６、ビタミンＣ、ビタミンＥ、コエンザイムＱ１０、食物繊維、海藻、トウガラシ、カプサイシン、ギムネマ、ペプチド、レシチン、アルギニン、リジン、キトサン、αリポ酸、共役リノール酸、Ｌ−カルチニン、Ｌ−オルチニン、Ｌ−オルチニン酸塩、シトラスアランチウム、キトグルカン、ガルシニアエキス、クロープエキス、桑葉エキス、インゲン豆エキス、メリロートエキス、大麦エキス、杜仲エキス、コレウスフォルスコリエキス、カルシウム、マグネシウム、カリウム、鉄を挙げることが好ましい。なお、これらのうち、少なくとも１つを含めばよく、他のユーザー質問回答情報との兼ね合いによって組み合わせを決めてもよい。
【００３６】
ユーザーが改善事項に健康を選択した場合には、提案サプリメントとして、マルチビタミン、マルチミネラル、ビタミンＢ、ビタミンＣ、ビタミンＥ、コエンザイムＱ１０、βカロチン、食物繊維、海藻、プロテイン、レシチン、ＥＰＡ、ＤＨＡ、αリポ酸、クエン酸、核酸、Ｌ−カルチニン、ＳＯＤ、ポリフェノール、コラーゲン、グルコサミン、コンドロイチン、エネキシア、乳酸菌、ガーリック、イチョウ葉エキス、カモミール、亜鉛、を挙げることが好ましい。なお、これらのうち、少なくとも１つを含めばよく、他のユーザー質問回答情報との兼ね合いによって組み合わせを決めてもよい。
【００３７】
また、体調に関連する体調情報として、目の疲れ・かすみなどの目の調子が好ましくない回答の場合には、提案サプリメントとして、ブルーベリーエキス、ルテインを挙げることが好ましい。なお、これらのうち、少なくとも１つを含めばよく、他のユーザー質問回答情報との兼ね合いによって組み合わせを決めてもよい。
【００３８】
体調に関連する体調情報として、肩のこり、筋肉痛など、肩や筋肉の調子が好ましくない回答の場合には、提案サプリメントとして、ビタミンＢ、ビタミンＥ、イチョウ葉エキス、クエン酸を挙げることが好ましい。なお、これらのうち、少なくとも１つを含めばよく、他のユーザー質問回答情報との兼ね合いによって組み合わせを決めてもよい。
【００３９】
体調に関連する体調情報として、めまいなど、体感の調子が好ましくない回答の場合には、提案サプリメントとして、ショウガエキスを挙げることが好ましい。
【００４０】
体調に関連する体調情報として、動悸・息切れなど、循環器系の調子が好ましくない回答の場合には、提案サプリメントとして、ザクロエキス、オリーブオイル、コエンザイムＱ１０を挙げることが好ましい。なお、これらのうち、少なくとも１つを含めばよく、他のユーザー質問回答情報との兼ね合いによって組み合わせを決めてもよい。
【００４１】
体調に関連する体調情報として、太りやすさの点で好ましくない回答の場合には、提案サプリメントとして、共役リノール酸を挙げることが好ましい。
【００４２】
体調に関連する体調情報として、シミ・しわ・くすみなど、肌の調子が好ましくない回答の場合には、提案サプリメントとして、ビタミンＢ、ビタミンＥ、クエン酸、コラーゲン、ヒアルロン酸、βカロチンを挙げることが好ましい。なお、これらのうち、少なくとも１つを含めばよく、他のユーザー質問回答情報との兼ね合いによって組み合わせを決めてもよい。
【００４３】
体調に関連する体調情報として、胃の張り・痛みなど、腹部の調子が好ましくない回答の場合には、提案サプリメントとして、ウコン、ビフィズス菌、マグネシウムを挙げることが好ましい。なお、これらのうち、少なくとも１つを含めばよく、他のユーザー質問回答情報との兼ね合いによって組み合わせを決めてもよい。
【００４４】
体調に関連する体調情報として、風邪のひきやすさの点で好ましくない回答の場合には、提案サプリメントとして、ビタミンＣ、朝鮮人参エキス、亜鉛を挙げることが好ましい。なお、これらのうち、少なくとも１つを含めばよく、他のユーザー質問回答情報との兼ね合いによって組み合わせを決めてもよい。
【００４５】
体調に関連する体調情報として、便秘・下痢など、消化器系の調子が好ましくない回答の場合には、提案サプリメントとして、乳酸菌、オリーブオイル、寒天、サイリウムを挙げることが好ましい。なお、これらのうち、少なくとも１つを含めばよく、他のユーザー質問回答情報との兼ね合いによって組み合わせを決めてもよい。
【００４６】
体調に関連する体調情報として、関節痛の点で好ましくない回答の場合には、提案サプリメントとして、コンドロイチン、グルコサミンを挙げることが好ましい。なお、これらのうち、少なくとも１つを含めばよく、他のユーザー質問回答情報との兼ね合いによって組み合わせを決めてもよい。
【００４７】
体調に関連する体調情報として、冷えの点で好ましくない回答の場合には、提案サプリメントとして、ＤＨＡ、納豆キナーゼを挙げることが好ましい。なお、これらのうち、少なくとも１つを含めばよく、他のユーザー質問回答情報との兼ね合いによって組み合わせを決めてもよい。
【００４８】
体調に関連する体調情報として、疲れやすさの点で好ましくない回答の場合には、提案サプリメントとして、ビタミンＥ、αリポ酸、セサミン、タマネギエキスを挙げることが好ましい。なお、これらのうち、少なくとも１つを含めばよく、他のユーザー質問回答情報との兼ね合いによって組み合わせを決めてもよい。
【００４９】
心理的状況に関連する心理情報として、いらいら・怒りやすさの点で好ましくない回答の場合には、提案サプリメントとして、ビタミンＤ、カルシウムを挙げることが好ましい。なお、これらのうち、少なくとも１つを含めばよく、他のユーザー質問回答情報との兼ね合いによって組み合わせを決めてもよい。
【００５０】
心理的状況に関連する心理情報として、もの忘れの点で好ましくない回答の場合には、提案サプリメントとして、朝鮮人参エキス、イチョウ葉エキス、カフェインを挙げることが好ましい。なお、これらのうち、少なくとも１つを含めばよく、他のユーザー質問回答情報との兼ね合いによって組み合わせを決めてもよい。
【００５１】
心理的状況に関連する心理情報として、不眠の点で好ましくない回答の場合には、提案サプリメントとして、γアミノ酸を挙げることが好ましい。
【００５２】
なお、サプリメントとは、医師の処方を必要とする医薬品以外の医薬部外品、食品、栄養補助食品、健康食品などを指し、飲食可能な形態であれば、錠剤、粉末、カプセル剤、ドリンク剤などの形態であってもよく、製剤において通常用いられる賦形剤を適宜含んでもよい。
【００５３】
サプリメントに含める成分として、上述のものの他に、従来公知のサプリメント添加物を加えてもよい。例えば、各種ビタミン、アミノ酸、ペプチド、タンパク質、ミネラル、食物繊維、脂肪酸、糖質、核酸、有機酸、菌類、動植物からの抽出物、脂質などが挙げられる。
【００５４】
ビタミンとしては、例えば、βカロチン、ビタミンＤ、ビタミンＥ、ビタミンＥ誘導体、ビタミンＫ、コエンザイムＱ１０などの脂溶性ビタミン類、ビタミンＢ１、ビタミンＢ２、ビタミンＢ６、ビタミンＢ１２、ビタミンＣ、ナイアシン、パントテン酸、葉酸などの水溶性ビタミン類が挙げられる。また、これらのうちの２種以上を一体的に含有するものとして、マルチビタミンが挙げられる。
アミノ酸としては、例えば、グリシン、アラニン、バリン、ロイシン、イソロイシン、セリン、スレオニン、システイン、チロシン、メチオニン、アスパラギン、アスパラギン酸、グルタミン酸、グルタミン、アルギニン、リジン、ヒスチジン、フェニルアラニン、トリプトファン、プロリン、ホモセリン、オルニチン、シトルリン、カルニチン、βアラニンなどが挙げられる。
ペプチドとしては、例えば、ペプチドのアミド体やエステル体、大豆ペプチド、βカゼイン、αラクトアルブミン、βラクトグロブリン、カゼイン、ラクトフェリン、ホエータンパクなどが挙げられる。
タンパク質としては、乳タンパク質、コラーゲン、エラスチンなどの動物性タンパク質、シルクプロテイン、大豆プロテインなどの植物性タンパク質が挙げられる。
ミネラルとしては、例えば、カルシウム、リン、ヨウ素、セレン、マグネシウム、亜鉛、鉄、カリウムなどが挙げられる。また、これらのうちの２種以上を一体的に含有するものとして、マルチミネラルが挙げられる。
食物繊維としては、例えば、セルロース、リグニン、ヘミセルロースなどの植物細胞壁、可溶性糖類、動物性食品由来の不消化物などが挙げられる。
脂肪酸としては、例えば、各種飽和脂肪酸、リノール酸、γリノレン酸、ＤＨＡ、ＥＰＡなどの不飽和脂肪酸などが挙げられる。
糖質としては、例えば、グルコース、フルクトース等の単糖類、フラクトオリゴ糖、大豆オリゴ糖、乳果オリゴ糖、ラフィノース、ガラクトオリゴ糖、キシロオリゴ糖のオリゴ糖類などが挙げられる。
核酸としては、ＤＮＡ、ＲＮＡが挙げられる。
有機酸としては、例えば、クエン酸、リンゴ酸などが挙げられる。
菌類としては、例えば、乳酸菌、ビフィズス菌などが挙げられる。
動植物からの抽出物としては、例えば、ポリフェノール、アントシアニン、イソフラボン、カテキン、クルクミン、フラボノイド、セサミノール、大豆サポニン、エラグ酸、ギンコライド、アリシン、グルタチオン、シスタチン、クロロフィル、カロテノイド、αカロチン、ルテイン、リコピン、フコキサンチン、タンニン酸、テアフラビン、クロレラなどが挙げられる。
脂質としては、例えば、モノアシルグリセロール、ジアシルグリセロール、トリアシルグリセロール、スクワレン、ワックス、コレステロール、グリセロリン脂質、スフィンゴリン脂質、脂肪酸エステル、植物ステロールなどが挙げられる。
【００５５】
本発明によるサプリメント提案プログラムは、前記のサプリメント提案方法を実行可能なプログラムとして提供でき、そのプログラムを格納したＣＤ等の記憶媒体で提供してもよい。
【００５６】
なお、ユーザーへの出力は、１通りの提案に限らず、複数の提案でもよく、また予算に応じた提案でもよい。
また、ユーザーの顧客情報管理や、販売者として営業情報管理などの機能も、従来公知の技術を適宜付設してもよい。
【産業上の利用可能性】
【００５７】
本発明によると、各ユーザーの状況や希望に応じたサプリメントを提案できるので、ユーザーの健康や、アンチエイジング、美容、ダイエット、健康などに寄与するので、産業上利用価値が高い。
【図１】
2011232989.tif 000003
【図２】
2011232989.tif 000004